(57)【要約】      （修正有）【課題】インクジェットプリンタのヘッド詰まりの発生を解決するとともに、研磨機能に問題を与えず、かつ優れた印刷品質が達成されるインク、及びこのインクを使用する手足の爪の手入れ器具の製造方法を提供する。【解決手段】染料１００重量部に対して、アルキッドレジンまたはソルベント１５０〜２５００重量部、トルエン、テトラヒドロフランまたは酢酸エチル２２０〜３０００重量部、キシレンまたはナフサ５０〜２５００重量部、メチルエチルケトン５０〜１５００重量部、さらに添加剤０〜６００重量部を添加してなることを特徴とする爪の手入れ器具Ｎの製造に用いるインク、及びこのインクを用いて、インクジェットプリンタで、文字または特定形状を印刷して印刷部６０を形成する工程を有することを特徴とする爪の手入れ器具Ｎの製造方法。【選択図】図１
2010155988.tif 000002
【特許請求の範囲】
【請求項１】
染料１００重量部に対して、アルキッドレジンまたはソルベント１５０〜２５００重量部、トルエン、テトラヒドロフランまたは酢酸エチル２２０〜３０００重量部、キシレンまたはナフサ５０〜２５００重量部、メチルエチルケトン５０〜１５００重量部、さらに添加剤０〜６００重量部を添加してなることを特徴とする爪の手入れ器具の製造に用いるインク。
【請求項２】
接触部材の一面または両面に接着部を形成する工程、前記接着部に研磨材を付着して研磨部を形成する工程、その後、研磨部に、染料１００重量部に対して、アルキッドレジンまたはソルベント１５０〜２５００重量部、トルエン、テトラヒドロフランまたは酢酸エチル２２０〜３０００重量部、キシレンまたはナフサ５０〜２５００重量部、メチルエチルケトン５０〜１５００重量部、さらに添加剤０〜６００重量部を添加してなるインクを用いて、インクジェットプリンタで、文字または特定形状を印刷して印刷部を形成する工程を有することを特徴とする爪の手入れ器具の製造方法。
【請求項３】
前記印刷部を形成する工程前に、インクの滲みを防止するためのコーティング層を形成する工程を有することを特徴とする請求項２に記載の爪の手入れ器具の製造方法。
【請求項４】
前記インクに用いられるソルベントが、非極性または極性溶剤であることを特徴とする請求項２又は請求項３に記載の手足の爪の手入れ器具の製造方法。
【請求項５】
前記接着部のための接着成分が、２‐エチルヘキシルアクリレートモノマー２８〜３３重量％、ビニルアセテートモノマー３〜５重量％、ブチルアクリレートモノマー１３〜１７重量％、エチルアクリレートモノマー４〜６重量％、エチルアセテート２６〜３０重量％、トルエン１５〜１９重量％、さらにエポキシ樹脂６〜８重量％の組成からなることを特徴とする請求項２ないし請求項４のいずれか１項に記載の爪の手入れ器具の製造方法。
【請求項６】
前記コーティング成分が、トルエン８８〜９２重量％、エポキシ樹脂５〜７重量％、及びポリアミド３〜５重量％の組成からなることを特徴とする請求項２ないし請求項５のいずれか１項に記載の爪の手入れ器具の製造方法。
【発明の詳細な説明】
【技術分野】
【０００１】
本発明は、手足の爪の手入れ器具の製造において製造者の表示等の印刷に使用されるインク、及びそれを用いて製造者の表示等の印刷することを特徴とする爪の手入れ器具の製造方法に係る。より詳しくは、本発明の出願人による大韓民国特許登録第０５３１４７１号公報に提示された技術を活用する場合であって、印刷の際に、インクジェットプリンタのヘッド詰まり現象が発生する問題点を解決するとともに、研磨機能に与える問題もなく、優れた印刷品質を与えるインク、及び、そのインクを活用した爪の手入れ器具の製造方法に関するものである。
【背景技術】
【０００２】
本発明の出願人による特許文献１には、「手足の爪の手入れ器具の研磨機能損傷防止のための印刷方法」が開示されている。具体的には、ファイル（ｆｉｌｅ）（爪やすり）、エメリーボード（ｅｍｅｒｙ ｂｏａｒｄ）（爪やすり）またはバッファ（ｂｕｆｆｅｒ）（爪磨き）等のような手足の爪の手入れ器具に、製造者または注文会社の表示や、各種の広告文句、紋様、文字、その他の情報を、シルクスクリーン印刷あるいは熱転写方式で印刷するとき、研磨材の研磨機能や光沢機能が損傷する問題を解決するため、インクに微細な珪藻土を混合することにより、印刷部自体がある程度研磨機能を有するようにしたものである。
【０００３】
しかしながら、上記特許文献１の技術を活用する場合は、印刷による研磨機能の低下の問題は解決されるものの、珪藻土が混合されたインクによって、印刷装備（インクジェットプリンタ）のヘッド詰まり現象が発生し、又、その他の印刷装備の消耗品の頻繁な入れ替えが必要になり、製造費用の上昇と作業遅延が問題であった。
【先行技術文献】
【特許文献】
【０００４】
【特許文献１】大韓民国特許登録第０５３１４７１号公報
【発明の概要】
【発明が解決しようとする課題】
【０００５】
そこで、本発明はこのような問題点に鑑みてなされたもので、その目的とするところは、上記特許文献１による技術を活用する際の問題であるインクジェットプリンタのヘッド詰まりの発生を解決するとともに、研磨機能に問題を与えず、かつ優れた印刷品質が達成されるインクを提供すること、及びこのインクを使用する手足の爪の手入れ器具の製造方法を提供することにある。
【課題を解決するための手段】
【０００６】
上記課題を解決するために、本発明による爪の手入れ器具の製造に用いるインクは、染料１００重量部に対して、アルキッドレジンまたはソルベント（溶剤）１５０〜２５００重量部、トルエン、テトラヒドロフラン（ＴＨＦ）または酢酸エチル２２０〜３０００重量部、キシレンまたはナフサ５０〜２５００重量部、メチルエチルケトン（ＭＥＫ）５０〜１５００重量部、さらに添加剤０〜６００重量部（好ましくは１０〜６００重量部）を添加してなることを特徴とする（請求項１）。このインクは上記の成分を通常の方法により混合することにより製造することができる。
【０００７】
また、本発明による爪の手入れ器具の製造方法は、接触部材の一面または両面に接着部を形成する工程、前記接着部に研磨材を付着して研磨部を形成する工程、その後、研磨部に、染料１００重量部に対して、アルキッドレジンまたはソルベント（溶剤）１５０〜２５００重量部、トルエン、テトラヒドロフラン（ＴＨＦ）または酢酸エチル２２０〜３０００重量部、キシレンまたはナフサ５０〜２５００重量部、メチルエチルケトン（ＭＥＫ）５０〜１５００重量部、さらに添加剤０〜６００重量部（好ましくは１０〜６００重量部）を添加してなるインクを用いて、インクジェットプリンタで、文字または特定形状を印刷して印刷部を形成する工程を有することを特徴とする（請求項２）。
【０００８】
本発明による爪の手入れ器具の製造方法は、好ましくは、前記印刷部を形成する工程前に、さらに、インクの滲みを防止するためのコーティング層を形成する工程を有する（請求項３）。又、本発明による爪の手入れ器具の製造方法では、接着部形成のための特定の接着剤を用いることにより、研磨機能及び印刷品質を全て充足させることができる。前記インクに用いられるソルベント（溶剤）は、非極性または極性溶剤のいずれを用いてもよい。
【発明の効果】
【０００９】
本発明による爪の手入れ器具の製造に用いるインク、及びそれを用いた爪の手入れ器具の製造方法は、インクジェットプリンタのヘッド詰まり現象が発生する問題点を解決するとともに、爪の手入れ器具の研磨機能に問題を与えることもなく、優れた印刷品質を得ることができる。
【図面の簡単な説明】
【００１０】
【図１】本発明により製造される爪の手入れ器具を示した結合斜視図である。
【図２】本発明により製造される爪の手入れ器具を示した分解断面図である。
【発明を実施するための形態】
【００１１】
以下に添付図面を参照しながら、本発明の好適な実施の形態について詳細に説明する。なお、図２では、各層の厚さを理解の便宜のために誇張して表している。
【００１２】
図１及び図２から明らかなように、手足の爪の手入れ器具Ｎでは、芯材１０の両面に、接触部材２０Ａ、２０Ｂが付着されている（図２参照）。ただし、前記接触部材は、前記芯材１０の一面にのみ付着されてもよく、前記芯材は必要に応じて省略されてもよい。
【００１３】
芯材１０は、ポリカーボネート、ポリエチレン（ＰＥ）、ポリプロピレン（ＰＰ）、またはポリアセタールのような合成樹脂板材等からなり、ある程度柔軟性を有するものである。接触部材２０Ａ、２０Ｂは、加圧時に身体の屈曲に沿って変形可能な素材からなる。例えば、発泡ポリウレタンやポリスチレン等の素材からなり、圧縮性と柔軟性を有することが好ましい。
【００１４】
前記接触部材２０Ａ、２０Ｂの上部には、接着部３０が形成される。接着部３０の形成は、例えば、接着剤の塗布または両面テープ（できれば薄型）の付着により行うことができる。接着部３０の形成のために使用される接着剤の成分、または両面テープのためのフィルムに形成される接着成分について、本発明者は、繰り返しの実験を通じて、研磨部４０のための最適な研磨材への接着性、印刷部６０に対する最高の印刷品質、印刷部印刷後の研磨部の研磨性能保障のために重要な貢献をする接着成分を見出した。
【００１５】
すなわち、この接着成分は、２‐エチルヘキシルアクリレートモノマー２８〜３３重量％、ビニルアセテートモノマー３〜５重量％、ブチルアクリレートモノマー１３〜１７重量％、エチルアクリレートモノマー４〜６重量％、エチルアセテート２６〜３０重量％、トルエン１５〜１９重量％、さらにエポキシ樹脂６〜８重量％の組成からなるものが好ましい。
【００１６】
前記接着部３０の上には、多様な粒径を有する研磨材が付着され、研磨部４０を形成する。
【００１７】
前記研磨材には、タルク、水晶、ガーネット、氷晶石（ＮａＡｌＦ）、及び天然ダイヤモンドのような天然研磨材と、酸化クロム、アルミナ、カーボランダム、炭化ホウ素、炭化ケイ素、及び人造ダイヤモンドのような人造研磨材がある。本発明では、公知の一種の研磨材または多種の複合研磨材を選んで使用（例えば、氷晶石とアルミナの混合使用）することができ、好ましくは、費用的な側面等を考慮して研磨材が選択される。
【００１８】
一般に多く用いられる珪藻土（diatomaceous earth）は、白色または灰白色の、荒いコロイド状含水ケイ酸で、タンパク石の一種であり、珪藻類の遺骸が海底に積もって出来た地層である第３期の地層からよく発見されるものとして知られている。珪藻のほかに放散虫・海綿のトゲ・石灰粒なども含み、良質のものは、二酸化ケイ素（ＳｉＯ２）を９０％以上含有する。粘土に似ており、触感が荒く、軽度が高く、ガラス等を損傷させ、緻密なものは、４倍重量の水分を吸収・維持することができ、ダイナマイト用・断熱用充填剤・窯業原料・ろ過剤・吸着剤・研磨材等に用いられる。
【００１９】
このような珪藻土は、８００〜１２０００メッシュの粒径を有することが、研磨機能とバッファリング（光沢）のために適合したものと明らかになった。
【００２０】
研磨部は、好ましくは、互いに異なる粒子の大きさの研磨材から成る２方以上の副研磨部を有する。ここで、「方」とは、研磨部の異なる目の粗さが何種類あるかを示す場合に用いられる用語であり、例えば「２方」であれば２種類の目の粗さがあることを示す。副研磨部は、一般に２方またはそれ以上であるが、必要に応じて４方以上であってもよい。研磨部が２方以上の副研磨部を有する場合、多様な爪の手入れを実施できる。
【００２１】
図１、図２に示す例では、研磨部４０は、異なる粒径を有する研磨材からなる４方の副研磨部４１、４３、４５、４７からなっている。その結果、多様な手足の爪の手入れが可能である。特に副研磨部の一つは、２０００〜４０００メッシュサイズの研磨材からなっており、手足の爪の光沢を出すためのバッファとして好ましく用いられる。
【００２２】
次に、本発明の核心をなす印刷部６０の形成方法を説明する。印刷部６０の形成前に、印刷インクが研磨部４０または接触部材２０Ａ、２０Ｂに完全に吸収され、印刷品質（鮮明度等）が低下することを防止するために、前記研磨部４０の上に浸透防止コーティング層５０を形成することが好ましい。コーティング層５０は、エポキシ樹脂を有効の接着成分としたコーティング層であってもよい。ただし、研磨部４０の研磨またはバッファリング（光沢）機能を損傷しないものが望まれる。
【００２３】
実際の製品に適用するために、繰り返しの実験を経て選択されたコーティング成分としては、トルエン８８〜９２重量％、エポキシ樹脂５〜７重量％、及びポリアミド３〜５重量％の組成ものが好ましい。このような成分のコーティング層は、研磨部の付着状態を、一定程度強化する機能も果たす。
【００２４】
次に、本発明の爪の手入れ器具の製造に用いるインク、すなわち、染料１００重量部に対して、アルキッドレジンまたはソルベント１５０〜２５００重量部、トルエン、テトラヒドロフラン（ＴＨＦ）または酢酸エチル２２０〜３０００重量部、キシレンまたはナフサ５０〜２５００重量部、メチルエチルケトン（ＭＥＫ）５０〜１５００重量部、さらに添加剤０〜６００重量部（好ましくは１０〜６００重量部）を添加してなるインクを用い、インクジェットプリンタを活用して、文字または特定形状等の各種情報を印刷し、印刷部６０を形成する。
【００２５】
インクにソルベントを用いる場合は極性（この場合も、接触部２０Ａ、２０Ｂをなすポリウレタンやポリスチレンが溶けるという問題がない）または非極性溶剤のいずれを用いてもよい。このようなインクは、コーティング層の下の研磨部に染み入り、接着部と接触部との間に安着され、研磨機能の損失が全くない。
【００２６】
また、インクに用いられるソルベント（溶剤）のうち非極性溶剤は、アルコール類、エステル類、エーテル類、またはケトン類等があり、前記非極性溶剤は、脂肪族類のガソリンや石油ベンジン等であってもよい。さらに、極性溶剤が用いられてもよいが、極性溶剤としては、クロロホルム、クロロベンゼン、トルエン等を挙げることができる。
【００２７】
各種の添加剤は、インクの作業性や仕上げ性能等の向上のためのものであるが、例えば、公知の分散剤、沈殿防止剤、または増粘剤であってもよい。特に、本発明によるインクには、紫外線によって印刷部が脱色することを防止するために、添加剤として、ＵＶ遮断剤が混合されてもよい。
【００２８】
印刷前には、必要に応じて、手足の爪の手入れ器具を、特定の形状と大きさに切る切断工程が行われてもよい。
【００２９】
以上の説明においては、染料、各種の添加物、粒径、コーティング層等と関連した通常の公知の技術を省略しているが、当業者であれば、容易にこれを推測及び推論して再現することができる。また、以上の説明において、添付図面を参照して、特定の組成及び構造を有するインク及び手足の爪の手入れ器具を主として説明したが、本発明は、当業者によって様々な修正、変更、及び置換が可能であり、このような修正、変更、及び置換は、本発明の保護範囲に属するものと解釈されなければならない。
【実施例】
【００３０】
爪の手入れ器具の製造に用いるインクとして下記の成分のインクを調整した。
インク１
染料１００ｇ、アルキッドレジン１５０ｇ、トルエン２２０ｇ、キシレン５０ｇ、メチルエチルケトン５０ｇ、分散剤とＵＶ遮断剤からなる添加剤１０ｇを混合して、染料等を溶解して調整した。
インク２
染料１００ｇ、アルキッドレジン２５００ｇ、トルエン３０００ｇ、キシレン２５００ｇ、メチルエチルケトン１５００ｇ、分散剤とＵＶ遮断剤からなる添加剤１００ｇを混合して、染料等を溶解して調整した。
インク３
トルエンの代わりにテトラヒドロフランを用いた以外はインク１と同様にして調整した。
インク４
トルエンの代わりに酢酸エチルを用いた以外はインク１と同様にして調整した。
インク５
キシレンの代わりにナフサルを用いた以外はインク１と同様にして調整した。
【符号の説明】
【００３１】
Ｎ                手足の爪の手入れ器具
１０              芯材
２０Ａ、２０Ｂ    接触部材
３０              接着部
４０              研磨部
５０              コーティング層
６０              印刷部
【図１】
2010155988.tif 000003
【図２】
2010155988.tif 000004